(57)【特許請求の範囲】
【請求項１】
開口部を有する筐体と、
該開口部から該筐体内に虫類を誘引する誘虫部材と、
該誘虫部材により誘引された虫類を誘導する通路と、
該筐体に対して虫類誘引方向に回転する回転胴と、
該通路内にある虫類を捕捉するために該回転胴に設けた逃避防止翼と、
誘引された虫類を該通路内で処理する赤外線照射部材と、
処理済みの虫類を収容する収容容器と、
から構成される
ことを特徴とする虫類駆除装置。
【発明の詳細な説明】
【技術分野】
【０００１】
本発明は、虫類駆除装置に関し、特にハエを補虫し駆除する装置に関する。
【背景技術】
【０００２】
食品工場や調理関係施設等においては、衛生環境の保持や異物混入を防ぐために広く殺虫器が使用されている。特に最近はハエがO１５７（オー１５７）の伝染の媒体として注目されており、その駆除はホテルやレストランでは刻下の急務である。殆どの殺虫器は、虫類を誘引する手段と誘引した虫類を捕殺する手段で構成され、誘引手段としては誘虫灯や誘引剤などがあり、捕殺手段としては粘着シート、電撃格子、吸引ファン、水盤などがある。
【０００３】
例えば、誘引灯と電撃格子を組み合わせた電撃殺虫器や、誘引灯と電撃格子と水盤を組み合わせた害虫駆除用複合トラップ等があるが、いずれも電撃格子への虫類の接触により殺虫する構造であり、衝撃音の発生、虫の残骸が格子に付着、衝撃による残骸の飛散、また格子より小さい虫が格子の間を通り抜けてしまい捕殺できない等の欠点がある。
【０００４】
粘着シートを使用する殺虫器においては、粘着シートに虫の死骸が付着していくと付着した分だけ粘着面積が減少していく、ホコリなどの付着により粘着性が低下するなど当初の性能が持続しない、粘着時には虫類は死滅していない等の欠点がある。
【特許文献１】特開平０６−１５３７５３号公報
【特許文献２】特開２００２−１２５５６０３号公報
【特許文献３】特開平１１−４６６５７号公報
【発明の開示】
【発明が解決しようとする課題】
【０００５】
本発明により解決しようとする第１の問題点は、上述の背景技術により虫類を処理する際に騒音や異臭が発生する点である。
【０００６】
また本発明により解決しようとする第２の問題点は、上述の背景技術によって虫類を処理する際には電撃格子や粘着テープへの虫類の接触が不可欠である事から、汚れやすく非衛生である点である。
【０００７】
本発明が解決しようとする第３の問題点は、上述の粘着テープによる虫類の処理方法では、当初の捕殺効果が持続せず徐々に低減していく点である。
【０００８】
本発明が解決しようとする最後の問題点は、上述の電撃格子による処理方法では、小さな虫類を十分に捕殺できない点である。
【課題を解決するための手段】
【０００９】
本発明の害虫駆除装置は、開口部を有する筐体、虫類を誘引する部材（誘虫部材）、該誘虫部材により誘引された虫類を誘導し赤外線を照射する通路と、処理した虫を収容するものから構成される。
【００１０】
赤外線を照射する通路には、誘引した虫類が逃げにくくする為の障害が設けてあり、虫類が不活性化若しくは死滅する等の処理に要するあいだ赤外線を照射できるよう構成している。
【００１１】
ここで、上記障害を、該筐体に対して虫類誘引方向に回転する回転胴と、該通路内にある虫類を捕捉するために該回転胴に設けた逃避防止翼と、によって構成してある。
【発明の効果】
【００１２】
当初に比べて虫の捕殺効果の低減が無く、継続的に虫類の駆除効果を発揮できる。
【００１３】
虫類の駆体の破壊や残骸の飛散を生じることが無くまた衝撃音や異臭を発生させることがない。
【００１４】
不活性化した虫類に触れることなく容易に衛生的に安全に処理できる。
【発明を実施するための最良の形態】
【００１５】
赤外線照射部材を装着してある通路に誘虫効果の有る誘虫部材にて虫類を誘引し、虫類に効率良く赤外線を照射して継続的に処理することを可能した。
【００１６】
虫類は多種多様にわたり、また虫類駆除装置が設置される環境や、異物混入防止もしくは感染予防等の目的の違いによっても、駆除を必要とする虫の種類は変化する。屋外に於いて走光性のある虫類（光に集まる虫類）を駆除するのであれば、誘虫ランプと電撃格子を組み合わせた殺虫器をそのために使用できるが、電撃格子の目より小さな虫類に対してはそれらが格子の目をすり抜けてしまうため駆除効果が薄い。虫類が多い環境では、捕殺面積が限定される粘着シートを活用する殺虫器を用いたとしても、時間経過とともに捕殺面積が徐々に少なくなり捕殺効率が短時間のうちに低下する。
【００１７】
本発明の虫類駆除装置では、駆除を目的とする虫類の特性に応じた誘引要素（誘虫部材、誘引部材）を採用することが可能であり、例えば広く市販されている誘虫ランプを組み込めば走光性のある虫を誘引することができる。誘虫ランプの代わりに例えば特定の虫を対象とするフェロモン等の誘引剤なども組み込むことができる。
【００１８】
誘虫部材をめざす虫類の習性を利用して、虫類を誘虫部材設置箇所へ向かう通路へと進行させるよう構成してあり、該通路に進行し滞留する間に赤外線を照射され不活性化ないしは死滅する。
【００１９】
赤外線は0.76〜1000ミクロンの電磁波であり、それ自体は熱ではなく、波長の長い赤外線ほど物質内部への深達力が高く、内部の分子運動エネルギーが活発化しやすい。
【００２０】
赤外線は無機質では吸収されず反射されてしまうが、多くの虫類は体色が黒色や褐色の有機的生物であるため、赤外線が反射されにくく吸収されやすいので、虫類に直接赤外線エネルギーを与える事ができ効率的である。蛋白質等の有機質では赤外線のうち遠赤外線の95％を吸収し分子活動が活発化し、また赤外線のうち近赤外線では蛋白質硬化現象を引き起こしやすく、虫類の表皮のクチクラ層や節間部の蛋白質を変質させることが理解された。赤外線のうち7〜12ミクロンの波長が動植物に吸収されやすいが、生物の主要構成要素である水分や蛋白質等の分子波長を網羅しており、生物に赤外線を照射すると生物内の分子の振動と赤外線の振動が共鳴振動をおこし、虫類内部の分子が激しく振動することとなる。周知のように虫類は、変温動物であり殆どの虫の生息可能温度が5℃から55℃程度であることから、温度と波長の関係から虫類におよそ8ミクロン以下の波長を照射することで生命維持が困難な状況とすることができることが分かった。また赤外線照射を停止した後も有機質の分子衝突運動はすぐには停止しないため、虫類を構成する分子の衝突エネルギーによる自己発熱作用も継続される。本発明では、赤外線照射空間には逆行を防ぐ障害が設けられている。この障害は、誘引された虫類を逃避しにくくさせ、虫類を不活性化ないしは死滅するに足る時間、赤外線照射空間に滞留させられるように構成されている。赤外線が虫類を不活性化ないしは死滅させることは実験により分かった。特に、ハエには、効果のあることが認められた。
【表１】
0004405231.tif 000002
【００２１】
赤外線は対象物の内部へ浸透しやすく、虫類の新陳代謝や体内温度を高める効果があるが、虫類の耐久能力以上に赤外線を照射すれば、虫類を不活性化ないしは死滅させる効果がある。実験結果ではイエバエに0.8〜2.5ミクロンの波長の赤外線を照射すると75秒以内で不活性化した。雰囲気の温度は何れの場合も55℃以下であった。実験では、室温２５℃でイエバエ１０匹を赤外線を４cmの距離から照射すると１分１３秒、３ｃｍで５５秒、２ｃｍで５０秒、１ｃｍで３４秒で不活性化することが分かった。
【００２２】
本発明の虫類駆除装置は、誘引された虫類に効果的に赤外線を照射できる構造としてあり、赤外線を対象虫類に照射するだけでよいので、捕殺部材に物理的に接触させることなく虫類を不活性化させることができる。また赤外線照射により不活性化した虫類は体型を保ったまま処理されるので、虫類の体液の飛散や残骸の発生がなく衛生的で汚れにくい等の効果がある。
【００２３】
赤外線照射領域で不活性化した虫類は、下部に設けられた収容容器に落下する構造としてある。このため、不活性化した虫類は赤外線照射領域に堆積せず赤外線を遮らないので不活性化効果は低減することなく持続する。不活性化した虫類を収容する収容容器は、袋形状や箱形状をはじめその形状は問わないが、本体下部に虫類が外部にこぼれぬように設置できる構造としてある。収容容器は、不活性化した虫類に手を触れることなく容易に虫類駆除装置から取り外すことができ、これによって収容されている虫類を廃棄できるよう構成してある。このようにして赤外線により継続的に処理された虫類を定期的に処分することができる。
【実施例１】
【００２４】
図１および図４は、本発明に係る一実施例の構造図であって、符号１〜６は、図１および図４において同じ部材を示す。符号７は、虫類を誘引する誘虫部材を示す。図１に示す誘虫部材７は、誘虫ランプによって構成してあり、これを組み込んだ筐体１は垂直型に構成してある。図４に示す誘虫部材７には、虫類を誘引するフェロモンを組み込んである。図４に示す筐体１は、水平型に構成してある。
【００２５】
図１には、本発明の虫類駆除装置の全体を示す筐体１が示されている。＊削除予定
【００２６】
符号２は、本発明にかかる虫類駆除装置が備える筐体１の内部に虫類を誘引するために筐体１に開口した開口部を示す。筐体１の内部に組み込まれた虫類の誘虫部材７の誘引効果は、開口部２から筐体１の外部に波及し、虫類は開口部２から筐体１の内部へと誘引される。
【００２７】
誘引された虫類は、虫類の本能から駆除装置内部の誘虫部材７をめざして進行するが、虫類の進行する通路（以下「通路３」という）は赤外線を照射する領域でもある。通路３の開口部２寄りには、誘引した虫類が開口部２から逃げにくくする逃避防止板２１を突き出させてある。この逃避防止板２１は開口部２周縁の一部を構成している。逃避防止板２１は、開口部２の周縁下端から筐体１の内部に向かって下り傾斜（図２の右から左に向かって下り方向に傾斜）させるのが通路３内の虫類を開口部２方向への逃避をしにくくする上で好ましいが、水平であってもよい。
【００２８】
符号３０は赤外線照射部材を示す。誘引された虫類は、通路３内において赤外線照射部材３０から出た赤外線の照射を受ける。赤外線照射部材３０には、赤外線を遮らない材質即ち透過性の保護カバー３１が通路３との境に設けられており、誘引された虫類が、赤外線照射部材３０に直接接触しないように構成されている。赤外線を照射されるとハエ等は不活性化ないしは死滅して、虫類は通路３の下部へ落下する。
【００２９】
符号５は、虫類を誘引する誘虫部材７を設置するハウジングを示す。ハウジング５は、誘虫部材７に虫類を直接接触させないための、保護カバー５０により覆われている。図１に示す誘虫部材７は誘虫ランプであることから、保護カバー５０は紫外線透過ガラスやアクリル等の素材により構成してある。
【実施例２】
【００３０】
実施例２を図４に示す。実施例２は、実施例１が垂直型としたものであるのに対し横型（水平型）としたものである。実施例２における誘引部材７は、フェロモンを採用してあり、そのために、フェロモンから出る臭いが通過できるようにメッシュ素材やスリット素材を保護カバー５０として構成することが好ましい。
【００３１】
実施例１で採用した誘虫部材７は誘虫ランプであるが、実施例２で採用した誘虫部材７はフェロモンであり、両者相異なるが、各々実情に応じて誘引部材７を選択し採用すればよい。
【００３２】
符号４は、不活性化された虫類が収容される収容容器を示す。収容容器４は、箱形状であれ袋形状であれ外部にこぼれないよう紙その他で構成してあり、筐体１から取り出して、廃棄等により後処理が簡単に行えるようにするとよい。なお、赤外線照射部材３０等を駆動するための通常方式による配線等の電気回路系の説明は省略する。
図３および図６に示す符号６は、虫類を収容したものの点検および交換を行う為の扉を示す。赤外線を照射され不活性化した虫類は収容箱４内に落下するが、この収容箱４は扉６を開けることによって筐体１から取り出すことができる。
【実施例３】
【００３３】
図７は、本発明の他の一実施例の構造図であり、図８は左記構造図の外観図である。図７に示す符号１は、本発明の虫類駆除装置の外観全体を構成する筐体、回転体により補虫する形式のもので構成されている。
【００３４】
符号８は、筐体１上部の開口部に露出している回転胴を示す。回転胴８の表面温度は、虫類にとっての好適温度、例えば、３０℃前後に設定されており、また、虫類に危機感をいだかせない速度、例えば、一回転４分程度で筐体１に対して回転している。なお、符号８０は、回転胴８に設けられている虫類の逃避防止翼である。
【００３５】
符号５０は、虫類を本発明の虫類駆除装置(筐体１)の内部へ誘引する誘虫ランプである。符号５は、誘虫ランプ５０を設置するハウジングを示す。
＊図７ですので、７ではなく５０だと思います。ハウジングは５となります。
【００３６】
図７に示す符号３０は、赤外線照射部材を設置するハウジングを示す。誘虫ランプ５０により誘引された虫類は、回転胴８の虫類誘引方向（図７で反時計回り方向）の回転につれ通路となる赤外線照射領域３へと導かれる。赤外線照射領域３に導かれた虫類には、赤外線照射部材（図７では隠れて見えない。図９〜１２参照）により赤外線が照射される。例えば回転胴８の円周方向１/３を赤外線照射領域３に設定すると、上述したように一回転４分とした場合に１分２０秒程度（４分×６０秒÷３＝８０秒）の時間、赤外線が照射され、虫類、例えばハエは、不活性化もしくは死滅する。赤外線照射部材を設置したハウジング３０には赤外線照射領域３へ赤外線が透過するように赤外線照射を阻害しない材質、例えばガラスやメッシュ等によって構成した保護カバー３１が設けられている。また、保護カバー３１は、誘引された虫類を赤外線照射部材に直接接触させないように構成されている。
【００３７】
図９は、赤外線照射部材のハウジング３０に管状赤外線照射部材３０１を組込んだ実施例示す斜視図であり、図１０は、赤外線ハウジング３０に球状赤外線ランプ３０２を組込んだ実施例を示す斜視図である。図１１は、ハウジング３０にセラミック赤外線照射部材３０３を組込んだ各実施例を示す斜視図である。図１２は、ハウジング３０に面状赤外線照射部材３０４を組込んだ実施例を示す斜視図である。このように赤外線ハウジング３０として様々なものが適用できる。
【００３８】
上述の図９〜図１２の実施例の様に、本発明の虫類駆除装置においてはさまざまな種類の赤外線照射部材を活用できるのがわかる。
【００３９】
更に、実用上の安全性向上のために、覆体をはずすと光線が停止する装置や作動確認モニターランプ等を組み込む事も可能であり、更に本発明については本発明の技術思想の範囲内で当業者によって種々の変形や適用が可能であることは勿論である。
【図面の簡単な説明】
【００４０】
【図１】本発明の虫類駆除装置の実施例を示した斜視図である。（実施例１）
【図２】上記図１の実施例で示した断面図である。
【図３】上記図１の実施例で示した外観図である。
【図４】本発明の虫類駆除装置の他の実施例を示した斜視図である。（実施例２）
【図５】上記図４の実施例で示した断面図である。
【図６】上記図４に示した実施例の外観図である。
【図７】本発明の虫類駆除装置の他の実施例を示した斜視図である。（実施例３）
【図８】図７で示した実施例の外観図である。
【図９】本発明における赤外線照射部材ハウジングに、管状赤外線照射部材を組み込んだ一実施例を示す斜視図である。
【図１０】赤外線照射部材ハウジングに、球状赤外線ランプを組み込んだ一実施例を示す斜視図である。
【図１１】赤外線照射部材ハウジングに、セラミック赤外線照射部材を組み込んだ一実施例を示す斜視図である。
【図１２】赤外線照射部材ハウジングに、面状赤外線照射部材を組み込んだ一実施例を示す斜視図である。
【符号の説明】
【００４１】
１    筐体
２    開口部
３    通路（誘引通路）
４    収容するもの
５    ハウジング
６    扉
７    誘虫ランプ（誘引部材）
８    回転胴
２１    逃避防止板
３０    赤外線照射部材
３１    保護カバー
５０    誘虫ランプ
３０１  管状赤外線照射部材
３０２  球状赤外線ランプ
３０３  セラミック赤外線照射部材
３０４  面状赤外線照射部材
【図１】
0004405231.tif 000003
【図２】
0004405231.tif 000004
【図３】
0004405231.tif 000005
【図４】
0004405231.tif 000006
【図５】
0004405231.tif 000007
【図６】
0004405231.tif 000008
【図７】
0004405231.tif 000009
【図８】
0004405231.tif 000010
【図９】
0004405231.tif 000011
【図１０】
0004405231.tif 000012
【図１１】
0004405231.tif 000013
【図１２】
0004405231.tif 000014